(57)【要約】【課題】いたずらされるおそれがなく、確実に水等の侵入を防ぐことができ、美観的にも優れた新規なガスケットの取り付け構造を提供する。【解決手段】衛星から送出される電波を受信するアンテナモジュールと、アンテナモジュールを収納するに十分な内部空間を有し底面が開放されたカバー部材１と、カバー部材１の開放された底面を塞ぐボトムプレート２とを備え、ボトムプレート２の少なくとも周囲を覆ってガスケット３が配され、このガスケット３がカバー部材１の内周面に当接することにより内部空間が密閉される。ガスケット３には、カバー部材１の外周面を覆う被覆部がなく、これを引っ張る等のいたずらによる防水機能の低下が回避され、同時に美観も確保される。【選択図】  図１
2004363747.tif 000002
【特許請求の範囲】
【請求項１】
衛星又は地上から送出される電波を受信するアンテナモジュールと、前記アンテナモジュールを収納するに十分な内部空間を有し底面が開放されたカバー部材と、前記カバー部材の開放された底面を塞ぐボトムプレートとを備え、
前記ボトムプレートの少なくとも周囲を覆ってガスケットが配され、このガスケットが前記カバー部材の内周面に当接することにより前記内部空間が密閉されることを特徴とするアンテナ装置。
【請求項２】
前記ガスケットは、ボトムプレートの厚み方向の上端部及び下端部における寸法が他の部分よりも大とされ、且つ、前記下端部の外形寸法は前記カバー部材の開放された底面の開口寸法よりも若干大きく設定されていることを特徴とする請求項１記載のアンテナ装置。
【請求項３】
前記ガスケットの前記下端部側が下端部に向かって次第に寸法が拡大する傾斜面とされており、
前記ガスケットの上端部がカバー部材の内周面に圧接されるとともに、カバー部材の下端縁が前記傾斜面に当接されていることを特徴とする請求項２記載のアンテナ装置。
【請求項４】
前記ボトムプレートにはケーブル挿通用のボスが形成されるとともに、前記ガスケットには前記ボスに対応して開口部が形成され前記ボトムプレートの底面を覆う設置面部が形成され、
前記設置面部には、前記ボスの周囲を囲むように複数の突条部が形成されていることを特徴とする請求項１記載のアンテナ装置。
【請求項５】
前記ボトムプレートは縁部に段部を有し、前記ガスケットは前記段部を覆うようにして前記ボトムケプレートに取り付け保持されることを特徴とする請求項１に記載のアンテナ装置。
【発明の詳細な説明】
【０００１】
【発明の属する技術分野】
本発明は、衛星から送出された電波を受信するアンテナ装置に関するものであり、特に、自動車の屋根等に取り付ける車載用アンテナとして好適なアンテナ装置に関する。
【０００２】
【従来の技術】
従来、自動車のドライバーに対して自車の進路等を誘導・案内するシステム、いわゆるカーナビゲーションシステムが広く普及している。このようなカーナビゲーションシステムにおいては、自車の速度や走行距離などによって現在位置の特定が行われる一方で、位置精度を向上させるために、ＧＰＳ衛星から送出される電波を受信し、受信した電波から取得した位置情報によっても現在位置の特定が行われている。
【０００３】
あるいは、近年、米国等においては、人工衛星から送出される電波によりデジタルラジオ放送等を提供することも進められている。このようなデジタルラジオ放送を受信するデジタルラジオ受信システムにおいても、やはり衛星から送出される電波を受信するアンテナが必要であり、いわゆる衛星ラジオ放送受信用アンテナが用いられている。
【０００４】
衛星からの電波は、高周波数帯域が使用されていることから、高い指向性を有しており、したがって、前記カーナビゲーションシステムやデジタルラジオ受信システムにおいては、衛星からの電波を良好な受信状態で受信するために、自動車の上面（すなわち屋根等）に受信アンテナを取り付ける必要がある。このため、衛星からの電波を受信するアンテナ装置には、高い耐候性や防水性が要求されている。
【０００５】
従来、この種のアンテナ装置における防水対策としては、ゴム等からなるガスケット（パッキン）を用いるのが一般的であり、図６に示すような取り付け構造が広く採用されている。すなわち、衛星から送出される電波を受信するアンテナモジュールを収納したカバー部材１０１の底面を、ガスケット１０２を取り付けたボトムプレート１０３で密閉して車のルーフパネル１０４に設置して、水等の侵入を防止するようにしている。このとき、図７に示すように、ガスケット１０２にスリット１０２ａを設けて二重構造とし、このスリット１０２ａにカバー部材１０１の底面側の端部１０１ａを差し込んで、密閉状態を確実なものとしている。
【０００６】
【発明が解決しようとする課題】
しかしながら、前述のような防水構造を採用した場合、カバー部材１０１の底面付近の周囲は、ガスケット１０２の被覆部１０２ｂによりスカートのように覆われる形になり、この部分を手で引っ張る等のいたずらが頻繁に報告されている。ガスケット１０２の前記被覆部１０２ｂを引っ張ると、防水機能を損なうおそれがあり、大きな問題である。
【０００７】
また、前記被覆部１０２ｂによりスカートのように覆われた状態では、美観を大きく損なうことになり、さらには、防水機能の観点からも、前記被覆部１０２ｂとカバー部材１０１の隙間から水が侵入し易い等の問題があり、その改善が望まれている。
【０００８】
本発明は、このような従来の実情に鑑みて提案されたものであり、いたずらされるおそれがなく、確実に水等の侵入を防ぐことができ、美観的にも優れた新規なガスケットの取り付け構造を提供し、信頼性の高いアンテナ装置を提供することを目的とする。
【０００９】
【課題を解決するための手段】
上述の目的を達成するために、本発明に係るアンテナ装置は、衛星又は地上から送出される電波を受信するアンテナモジュールと、前記アンテナモジュールを収納するに十分な内部空間を有し底面が開放されたカバー部材と、前記カバー部材の開放された底面を塞ぐボトムプレートとを備え、前記ボトムプレートの少なくとも周囲を覆ってガスケットが配され、このガスケットが前記カバー部材の内周面に当接することにより前記内部空間が密閉されることを特徴とする。
【００１０】
本発明のアンテナ装置では、カバー部材の底面側にガスケットが組み込まれ、カバー部材の内周面側にガスケットが当接することで水の侵入が防止される。したがって、カバー部材の外周面を覆う被覆部がなく、これを引っ張る等のいたずらが回避される。同時に、美観も確保される。また、カバー部材とガスケットの境界部が外部に臨んでいないので、これらの間の隙間から水等が侵入するおそれもない。
【００１１】
【発明の実施の形態】
以下、本発明を適用したアンテナ装置について、図面を参照して詳細に説明する。
【００１２】
本実施の形態のアンテナ装置は、図１及び図２に示すように、衛星から送出される電波を受信するアンテナモジュール（図示は省略する。）と、前記アンテナモジュールを収納するに十分な内部空間を有し底面が開放されたカバー部材１と、前記カバー部材の開放された底面を塞ぐボトムプレート２と、このボトムプレート２の周囲及び底面を覆うガスケット３とから構成される。
【００１３】
そして、前記ボトムプレート２の周囲を覆うように設けられるガスケット３が前記カバー部材１の内周面に当接することにより、前記アンテナモジュールが収納された内部空間が密閉されている。ここで、前記ガスケット３を装着したボトムプレート２は、カバー部材１の開放された底面に組み込まれる形で取り付けられており、図１に示すように、アンテナ装置を自動車の屋根等に組み付けた際には、前記ガスケット３はほとんど外部からは見えない状態となる。
【００１４】
前記ガスケット３は、図２に示すように、ボトムプレート２の厚み方向の上端部３ａ及び下端部３ｂにおける寸法が他の部分よりも大とされ、且つ、前記下端部３ｂの外形寸法Ｗ１は前記カバー部材１の開放された底面の開口寸法Ｗ２よりも若干大きく設定されている。そして、前記ガスケット３の前記下端部３ｂ側は、下端部３ｂに向かって次第に寸法が拡大する傾斜面３ｃとされている。また、図３及び図５に示すようにボトムプレート２の縁部全周囲に段部５が設けられており、ガスケット３の縁部が段部５を覆うようにしてガスケット３がボトムプレート２に取り付け保持される。
【００１５】
したがって、前記ガスケット３を装着したボトムプレート２をカバー部材１の開放された底面に押し込んだ場合、図３に拡大して示すように、前記ガスケット３の上端部３ａがカバー部材１の内周面１ａに圧接されるとともに、カバー部材１の下端縁１ｂが前記傾斜面３ｃに当接されることになる。これにより、前記カバー部材１の下端縁１ｂが前記傾斜面３ｃに当接する部分、及びガスケット３の上端部３ａがカバー部材１の内周面１ａに圧接される部分の２カ所でシールされることになり、２重にシールされてカバー部材１内部への水の侵入を確実に防止することができる。
【００１６】
また、ガスケット３は、ボトムプレート２の底面を覆う設置面部３ｄを有しており、アンテナ装置を自動車の屋根等に組み付けた際に、この設置面部３ｄがボトムプレート２と自動車の屋根の間に介在してパッキンの役割を果たす。このとき、ボトムプレート２には、接続ケーブル４を車内に引き込むためのボス２ａが形成されており、図４に示すように、これに対応して前記設置面部３ｄには開口部３ｅが形成されている。したがって、この開口部３ｅからも水等が侵入するおそれがある。
【００１７】
そこで、本実施形態では、前記設置面部３ｄの前記開口部３ｅの周囲を囲む円環状の複数の突条部、ここでは３重の突条部３ｆ、３ｇ、３ｈを形成し、この部分における水の侵入を防止するようになっている。すなわち、前記設置面部３ｄの開口部３ｅは、これら突条部３ｆ、３ｇ、３ｈが自動車の屋根に密着することにより、３重にシールされた形になり、この部分における水の侵入が確実に防止されている。
【００１８】
【発明の効果】
以上の説明からも明らかなように、本発明のアンテナ装置においては、ガスケットがカバー部材の底面に組み込まれており、カバー部材の外周面を覆う被覆部がないので、この部分を引っ張る等のいたずらを確実に回避することができる。したがって、いたずらによる防水性の劣化を防止することができ、いたずら防止策として非常に有効である。
【００１９】
また、カバー部材の外周面を覆う被覆部がないことは、美観的にも大きなメリットであり、ガスケットがほとんど外部から見えないことにより、アンテナ装置を自動車の屋根等に取り付けた場合に、美観を損なうことがない。
【００２０】
さらに、本発明のアンテナ装置では、ガスケットの周縁部により２重にシールされ、カバー部材とガスケットの境界部が外部に臨んでいないので、これらの間の隙間から水等が侵入するおそれもなく、優れた防水性、耐候性を付与することができ、信頼性の高いアンテナ装置を提供することが可能である。
【図面の簡単な説明】
【図１】本発明を適用したアンテナ装置の一例を示す側面図である。
【図２】本発明を適用したアンテナ装置を分解して示す側面図である。
【図３】カバー部材とガスケットのシール部分を拡大して示す要部断面図である。
【図４】本発明を適用したアンテナ装置の底面図である。
【図５】本発明を適用したアンテナ装置ボトムプレートの上面図である。
【図６】従来のアンテナ装置を示す側面図である。
【図７】従来のアンテナ装置のカバー部材とガスケットのシール部分を拡大して示す要部断面図である。
【符号の説明】
１        カバー部材
２        ボトムプレート
２ａ      ボス
３        ガスケット
３ａ      上端部
３ｂ      下端部
３ｃ      傾斜面
３ｄ      設置面部
３ｅ      開口部
３ｆ      突条部
３ｇ      突条部
３ｈ      突条部
５        段部
【図１】
2004363747.tif 000003
【図２】
2004363747.tif 000004
【図３】
2004363747.tif 000005
【図４】
2004363747.tif 000006
【図５】
2004363747.tif 000007
【図６】
2004363747.tif 000008
【図７】
2004363747.tif 000009